(57)【要約】【課題】本発明は、測定ヘッドとシート状物の接触状態が測定ヘッド全面で均一となるシート状物の物性測定装置を提供することを目的とする。【解決手段】本発明は、ｎ個の検出部とそれを保持する測定ヘッドを有するシート状物の物性測定装置において、測定ヘッドの外形形状を正ｎ角形とし、正ｎ角形の一辺をシート状物の走行方向と垂直になる状態に測定ヘッドを配して測定する。また、本発明は、測定ヘッドの位置制御手段として、測定ヘッドとシート状物との接触面から測定ヘッドを押し込む押込量制御手段と測定ヘッドとシート状物との接触状態から測定ヘッドを傾斜させる傾斜角度制御手段と測定ヘッドとシート状物との接触面で測定ヘッドを(360/ｎ)度ずつ回転させる回転手段により構成し、ｎ個の検出部は誘電体共振器であることがより好ましい。【選択図】  図４
2011033597.tif 000002
【特許請求の範囲】
【請求項１】
ｎ個の検出部とそれを保持する測定ヘッドを有するシート状物の物性測定装置において、測定ヘッドの外形形状を正ｎ角形とし、正ｎ角形の一辺をシート状物の走行方向と垂直になる状態に測定ヘッドを配して測定することを特徴とするシート状物の物性測定装置。
【請求項２】
測定ヘッドの位置制御手段として、測定ヘッドとシート状物との接触面から測定ヘッドを押し込む押込量制御手段と測定ヘッドとシート状物との接触状態から測定ヘッドを傾斜させる傾斜角度制御手段と測定ヘッドとシート状物との接触面で測定ヘッドを(360/ｎ)度ずつ回転させる回転手段を有することを特徴とする請求項１に記載のシート状物の物性測定装置。
【請求項３】
ｎ個の検出部は誘電体共振器であることを特徴とする請求項１または請求項２に記載のシート状物の物性測定装置。
【発明の詳細な説明】
【技術分野】
【０００１】
本発明は、紙、不織布、フィルムをはじめとするシート状物の物性測定装置に関し、更に詳しくは、シート状物と測定ヘッドの接触状態の均一性向上技術に関するものである。
【背景技術】
【０００２】
シート状試料の透明・不透明を問わず、試料の物性として配向性あるいは誘電的異方性をオンラインで測定する方法を発明者らは提示している。基本的な方法としては、検出部として採用した矩形誘電体共振器をマイクロ波により共振させ、その表面に沁みだしたエバネセント波を利用し、試料の片側から検出部を接触もしくは近接させた際の共振周波数の変化を測定するものである。試料の片側から検出部が接触あるいは近接したときに、試料の誘電率と厚さの積に応じて共振周波数が低周波数側にシフトする。このシフト量を測定することによって、紙などのシート状物の繊維配向あるいは分子配向をオンラインで測定することが可能となる。
【０００３】
使用する誘電体共振器の個数を５個とした場合を例に説明する。図１に示すように、各々を７２°の角度ずつ配置した５個の誘電体共振器１〜５によって構成された測定ヘッド１０を用いて試料を測定する。このような複数の誘電体共振器を使用した場合、信号処理は図２に示すようにマイクロ波掃引発振器から出た信号を５個の誘電体共振器に分配し、透過強度を検波ダイオードで電圧に変換する。これを増幅、Ａ／Ｄ変換し、ピーク検出回路によってピーク位置が検出される。周波数の掃引は一定の周期で繰り返され、かつ掃引中のみハイレベルとなる同期信号が同時にマイクロ波掃引発振器から出ているため、この同期信号がハイレベルになる瞬間から透過強度が最大値をとるまでの時間を測定すれば、共振周波数が求められる。図２は５個の誘電体共振器を使用した場合の信号処理系のブロック図である。
【０００４】
試料がないときのブランク共振周波数と試料を共振器に近接または接触させたときの共振周波数の差をシフト量（Δｆ）と呼び、図１に示した５個の誘電体共振器のそれぞれについて周波数シフト量を求め、これを極座標上にプロットすることで楕円パターンを描く。そして、得られたデータについて楕円近似をかけることによりで図３のような配向パターンと呼ばれる楕円が計算され、試料の配向性が示される。図３において、ＭＤ（Machine Direction）方向はオンライン測定の場合の試料の走行方向であり、この方向を基準方向とする。ＴＤ（Transverse Direction）は基準方向に直交する方向で、オンライン測定の場合は試料の幅方向である。φ（基準方向と誘電率最大の方向とのなす角度）は配向角度を表し、長軸ａと短軸ｂの差又はそれを長軸ａもしくは短軸ｂで除したものは異方性の程度を表す。
【０００５】
紙や不織布など、延伸されたＰＥＴなどと比較して小さい誘電的異方性を有する試料の配向性を測定するためには、複数個の誘電体共振器における共振周波数のシフト量をより正確に捉える必要があり、複数の誘電体共振器の固体差（同一試料を接触させても同一の共振周波数シフトをせず、わずかに差異が生ずること）をできるだけ小さくする必要がある。そこで本発明者らは、複数の誘電体共振器を用いる場合に、個々の誘電体共振器の固体差を補正する手段を導入し、特許文献１に開示している。この方法では、測定対象となる試料をそのまま補正係数測定に用いるため、試料の凹凸などの個々の物性を加味した正確な補正係数を求めることができ、より高精度の配向測定が可能となった。
【０００６】
加えて、走行するシート状試料を精度良く測定するためには、試料に対して検出部が均一に接触する必要がある。そこで、本発明者らは、オンラインでの測定の際、検出部の検出面を走行するシート状物と均一に安定して接触させながら測定することができるシート状物の物性を測定する測定装置および測定方法について、特許文献２に開示している。この装置及び方法によって、検出部を保持する測定ヘッドの接触端部のシート状物の走行経路に対し、測定ヘッドの押込量及び測定ヘッドの平面状接触面が、シート状物の流れ方向に対してシート状物から一定の角度を保って離間させる傾斜角度制御手段の調整により、最適なフォイル効果を得て安定してシート状物の物性を測定することが可能となった。
【発明の概要】
【発明が解決しようとする課題】
【０００７】
特許文献１のような方法で、複数個の誘電体共振器の固体差補正を行う際、測定ヘッドに対し測定ヘッドの中心部を中心として任意の角度ごとに回転させるステップ、又は測定対象試料に対して測定ヘッドの中心部を中心として測定ヘッドを任意の角度ごとに回転させるステップを踏む必要がある。測定対象試料が走行中のシート状物の場合、当然のことであるが、測定対象試料に対して測定ヘッドを回転させる必要がある。
【０００８】
一方、紙の繊維配向を製造ライン上で測定する場合、紙のバタツキやテンションの変動などにより紙面とマイクロ波誘電体共振器の検出面との接触状態が一定にならない場合が多く、検出面の全面に亘って紙面と安定して均一に接触させることが難しいという問題があった。そこで特許文献２のように、検出部を保持する測定ヘッドの接触端部のシート状物の走行経路に対し、測定ヘッドの押込量及び測定ヘッドの平面状接触面が、シート状物の流れ方向に対してシート状物から一定の角度を保って離間させる傾斜角度制御手段の調整により、最適なフォイル効果を得て安定してシート状物の物性を測定することが可能となった。
【０００９】
さらに、最適なフォイル効果を得るための測定ヘッドの形状について説明する。測定ヘッドを測定面方向から見た場合、測定ヘッド面の形状が円形の場合は、紙とヘッド面はヘッド面の最も上流側の１点から順次接するため、ヘッド面の川下側に行くにつれて、紙から離れる位置関係にある。そのため、測定ヘッドの下流側や側面側に行くほど負圧の程度が小さくなり、接触状態が不均一になる可能性が否めない。そこで、紙と測定ヘッド面が最初に１点から接するのではなく、線で接するようにすれば紙の流れに対して直角方向でより一層圧力分布が均一になりより好ましい。例えば、シート状物と接触する際の基点となる測定ヘッドの上流側の端辺を直線状とすれば、負圧になる範囲がヘッド幅全体に広がり、より均一な接触が得られやすくなる。
【００１０】
そこで、例えば測定ヘッドの外形形状を正方形にすれば、最適なフォイル効果を得るための形状は満たされるが、検出部が４個でない場合、たとえば本発明の実施例のように検出部が５個の場合は、補正係数測定で測定ヘッドを回転させるステップの際に、シート状物と接触する際の基点となる測定ヘッドの上流側の端辺を直線状に保つためには、外形は正方形でありながら検出部を含むヘッドの中央部は(360/5)度毎に回転できる機構を設ける必要があり、複雑で高価な装置構成が要求され現実的ではない。つまりフォイル効果の都合だけを考慮すれば、測定ヘッドの外形形状の正多角形の角数は少ない方がよいが、装置の構成全体を勘案すると検出部の個数と正多角形の角数を一致させるのが合理的である。また測定ヘッドの外形形状の正多角形の角数については、角数が多いほどフォイル効果の特性が円形ヘッドの場合に近くなり、本願の意図する効果は減少すると考えられる。
【００１１】
本発明は、測定ヘッドとシート状物の接触状態が測定ヘッド全面で均一となるシート状物の物性測定装置を提供することを目的とする。
【課題を解決するための手段】
【００１２】
上記課題を解決するために、本発明は、ｎ個の検出部とそれを保持する測定ヘッドを有するシート状物の物性測定装置において、測定ヘッドの外形形状を正ｎ角形とし、正ｎ角形の一辺をシート状物の走行方向と垂直になる状態に測定ヘッドを配して測定することを特徴とするものである。
【００１３】
また、本発明は、測定ヘッドの位置制御手段として、測定ヘッドとシート状物との接触面から測定ヘッドを押し込む押込量制御手段と測定ヘッドとシート状物との接触状態から測定ヘッドを傾斜させる傾斜角度制御手段と測定ヘッドとシート状物との接触面で測定ヘッドを(360/ｎ)度ずつ回転させる回転手段により構成することが好ましい。
【００１４】
更に、本発明は、ｎ個の検出部は誘電体共振器であることがより好ましい。
【発明の効果】
【００１５】
本発明によれば、ｎ個の検出部とそれを保持する測定ヘッドを有するシート状物の物性測定装置において、測定ヘッドの外形形状を正ｎ角形とし、その一辺をシート状物の走行方向と垂直になる状態で測定することにより、測定ヘッドとシート状物の接触状態を測定ヘッド全面で均一にすることが可能である。
【００１６】
また測定ヘッドの位置制御手段として、測定ヘッドとシート状物との接触面から測定ヘッドを押し込む押込量制御手段と測定ヘッドとシート状物との接触状態から測定ヘッドを傾斜させる傾斜角度制御手段と測定ヘッドとシート状物との接触面で測定ヘッドを(360/ｎ)度ずつ回転させる回転手段により構成することにより更に高度な接触状態の調整が可能である。またｎ個の検出部が誘電体共振器である場合には前述手段で得られる均一な接触状態が特に重要である。
【図面の簡単な説明】
【００１７】
【図１】５個の誘電体共振器を保持した円形測定ヘッドの平面図。
【図２】５個の誘電体共振器を使用した場合の信号処理系のブロック図。
【図３】各誘電体共振器の出力から得られる配向パターン。
【図４】５個の誘電体共振器を保持した正五角形測定ヘッドの平面図。
【図５】円形ヘッドの周囲に正五角形のリングを付加した場合の平面図。
【図６】（ａ）傾斜角度を設けない場合の断面図。（ｂ）傾斜角度を設けた場合の断面図。
【図７】（ａ）測定ヘッドと走行中の紙の傾斜角度が小さい場合の断面図。（ｂ）傾斜角度が小さい場合の測定ヘッドと圧力分布の関係を示す曲線。
【図８】（ａ）測定ヘッドと走行中の紙の傾斜角度が大きい場合の断面図。（ｂ）傾斜角度が大きい場合の測定ヘッドと圧力分布の関係を示す曲線。
【図９】（ａ）測定状態の測定ヘッドと走行中の紙を示す断面図。（ｂ）測定ヘッドの押圧状態と圧力分布の関係を示す曲線。
【図１０】円形測定ヘッドの場合の圧力分布を示す図。
【図１１】正五角形測定ヘッドの場合の圧力分布を示す図。
【図１２】（ａ）５個の誘電体共振器の位置を示した測定ヘッドの平面図。（ｂ）各誘電体共振器の出力から得られる配向パターン。
【図１３】測定ヘッドと紙面の接触状態が均一な場合に５つのポジションにおいて各誘電体共振器が示す共振周波数のシフト量。
【図１４】測定ヘッドと紙面の接触状態が不均一な場合に５つのポジションにおいて各誘電体共振器が示す共振周波数のシフト量。
【図１５】円形ヘッドを用いた場合に５つのポジションにおいて各誘電体共振器が示す共振周波数のシフト量。
【図１６】円形ヘッドの周囲に正五角形のリングを付加した測定ヘッドを用いた場合に５つのポジションにおいて各誘電体共振器が示す共振周波数のシフト量。
【図１７】配向角度１５度の場合について、５つのポジションにおいて各誘電体共振器が示す共振周波数のシフト量をシミュレーションにより求めたグラフ。
【発明を実施するための形態】
【００１８】
以下誘電体共振器を検出部として使用し、シート状物として走行する紙を測定する配向測定装置を例に説明する。本例の場合は５個の誘電体共振器が７２度ごとに配列された測定ヘッドを例を挙げて説明する。５個の誘電体共振器を一つの金属製の測定ヘッドに装着する。金属としてはシールド効果が高く加工しやすいアルミニウム、真鍮、銅等が使用される。図１の円型の測定ヘッドについて説明すると、円形測定ヘッド１０にそれぞれの誘電体共振器１〜５が装着されている。この例では直方体状の各誘電体共振器１〜５が円形測定ヘッドに設けられた穴部に底部や側周部と若干の隙間を保って装着される。低誘電率高分子材料、例えばフッ素系樹脂をこの隙間を埋めたり保ったりする部材として使用している。それぞれの誘電体共振器の試料との接触条件が同一になるようにそれぞれの誘電体共振器の検出面ＤＳ１〜ＤＳ５が測定ヘッドの試料との平面状接触面ＨＳと面一になるように装着される。図４は、５個の誘電体共振器を保持した正五角形測定ヘッドの平面図である。
【００１９】
本発明の目的を満足するためには、測定ヘッドの外形形状が正ｎ角形であればよい訳であるから、一例として、円形ヘッドの周囲に外形が正ｎ角形のリングを付加しても当然のことながら同様の効果が得られる。図５は、円形ヘッドの周囲に正五角形のリング１１を付加した場合の平面図である。円型測定ヘッドに対して外周リングを取りつける場合は、隙間からの流体の流出もしくは流入を防ぐ目的から測定ヘッド外周部とリング内部の間にＯリング等のシール部材を使用するのが望ましい。
【００２０】
図４、図５のように、採用した誘電体共振器の個数である５個に対し、正五角形測定ヘッド又は円形ヘッドの周囲に正五角形のリングを付加した場合について、代表して図４の正五角形測定ヘッドを採用した場合を例に説明する。フォイル効果をこの測定ヘッドに適用し、試料と測定ヘッドの接触面とが均一に接触するような装置の構成を以下に示す。図６は本発明の測定ヘッドの位置制御手段の概略構成図である。矢印Ａ方向に走行する紙の経路Ｗに対してその紙の経路と測定ヘッドの平面状接触面ＨＳが平行になるように測定ヘッド１０を支持する測定ヘッド支持台１２に測定ヘッド１０が固定されている。図６(a)傾斜角度を設けない場合の断面図である。紙の経路Ｗに対してその紙と測定ヘッドの平面状接触面ＨＳが平行になった状態で、測定ヘッド支持台１２は測定ヘッド押込量制御手段Ｐｏに固定されている。測定ヘッド押込量制御手段Ｐｏは図中矢印Ｂで示す方向に測定ヘッド支持台の高さを任意に調整できるようにロータリーアクチュエーターのひとつのロータリーシリンダ（図示省略）によって構成される一軸方向の移動手段とその移動先端部に接続固定された台で構成される。この図６(a)に示す状態では測定ヘッド支持台の高さは紙が測定ヘッド１０にほぼ接するような状態に調整されている。
【００２１】
測定ヘッド押込量制御手段Ｐｏは測定ヘッド傾斜角度制御手段Ｉn上に乗った形で測定ヘッド傾斜角度制御手段Ｉnと接続固定されている。測定ヘッド傾斜角度制御手段Ｉnは具体的には載置台１３とその載置台１３における紙の流れの上流側端部１３ｂに接続される一軸方向の移動手段１４とから構成される。載置台１３は紙の流れの下流側端部１３ａを支点として図中矢印Ｃ方向に回動可能となっており、端部１３ｂに接続された例えばロータリーアクチュエーターとボルトナットで構成される一軸方向の移動手段１４が、設置基礎台１５から端部１３ｂを任意の間隔で離間させることによって測定ヘッド押込量制御手段Ｐｏを一定の角度で傾けた状態となっている。図６(b)は傾斜角度を設けた場合の断面図で、この状態を示している。
【００２２】
図からわかるようにこの測定ヘッド押込量制御手段Ｐｏが傾斜することにより測定ヘッド１０が図中紙の経路Ｗに対してシート状物から一定の角度αを保って離間するような角度すなわち傾斜角度をつけることになる。この傾斜角度αの一定の角度を保って紙の経路Ｗから測定ヘッドの平面状接触面が傾斜するようになる。
【００２３】
すなわち測定ヘッド傾斜角度制御手段Ｉnによってこの傾斜角度を調整することができる。なお、以上の説明からわかるように測定ヘッド押込量制御手段Ｐｏは紙の経路Ｗに対して位置的に測定ヘッドの押込量を調整することになる。すなわち測定ヘッドが紙を圧接しない位置から圧接することによりその位置から押し込まれた位置までの距離を調整する。この測定ヘッド傾斜角度制御手段Ｉnと測定ヘッド押込量制御手段Ｐｏによって測定ヘッド位置制御手段が構成される。なお理想的には測定ヘッド押込量制御手段Ｐｏが測定ヘッド１０を紙に対して鉛直方向に圧接することが好ましいが、本例ではこの図の矢印Ｂ方向の移動距離と測定ヘッド傾斜角度制御手段Ｉnに設定される傾斜角をＰＣ（パーソナルコンピュータ）等により演算して押込量、傾斜角度を調整することになる。
【００２４】
図７(a)は測定ヘッドと走行中の紙の傾斜角度が小さい場合の断面図である。また図７(b)は傾斜角度が小さい場合の測定ヘッドと圧力分布の関係を示す曲線である。図７から分かるように紙パスに対して測定ヘッド１０の下流側の測定ヘッド後端部１０ｂをわずかに紙パスＰから離すと、フォイル効果により紙面とヘッド面に挟まれた空間が負圧になるために、紙が測定ヘッド面に吸い寄せられて均一に接触する。尚この際の測定ヘッド１０の上流側の測定ヘッド先端部１０ａが最初に紙に接する接触端部となる。この測定ヘッド１０は円形であるので接触端部は点となる。紙パスＰに対する測定ヘッド面の傾き角度すなわち前述の傾斜角度に応じて、図７に示すようにヘッド周りの圧力分布が変わる。図７にはこの傾斜角度が比較的小さい場合の例を示した。このように傾斜角度すなわち傾斜角度が小さい場合は、負圧の程度も小さいが負圧となる範囲が長く（広く）なる。反対に傾斜角度が大きいと負圧の程度が大きくなるが負圧の範囲が狭くなる傾向にある。このような状態を図８に示した。図８(a)は測定ヘッドと走行中の紙の傾斜角度が大きい場合の断面図である。図８(b)はこの時の圧力分布の関係を示す曲線である。この最適な傾斜角度は、紙の走行速度、紙の張力および紙の弾性率で決まる。また、紙面に対する鉛直方向の測定ヘッドの位置すなわち測定ヘッド圧接位置言い換えればヘッドの紙に対する押込量によっても図９（ｂ）に示すように圧力分布が変わる。図９（a）は測定状態の測定ヘッドと走行中の紙を示す断面図、図９（ｂ）は測定ヘッドの押圧状態と圧力分布の関係を示す曲線であり、図９は二つの測定ヘッド押込量についてそれぞれの紙の走行位置に伴う圧力分布を示している。測定ヘッドを紙に対してキスタッチの位置とその位置に対してさらに押し込んだ位置における圧力分布を較べると、押し込んだ位置では測定ヘッドと紙の接触点より上流側の正圧はさらに上がり、接触点より下流側の負圧はさらに負圧が大きくなる傾向となる。
【００２５】
先に測定ヘッド位置調整手段が二つの制御手段によって構成される場合を説明したが、一種類の調整手段によって構成することも可能である。例えば、測定ヘッドを一軸方向の移動手段を少なくとも３つ使用して支持することによって測定ヘッド傾斜角制御と測定ヘッド押込量制御を行うことも可能である。このような一軸方向の移動手段としてはロータリーアクチュエーターにボルト、ナット等を組み合わせたものがあげられる。ＰＣ（パーソナルコンピュータ）等を使用して各一軸方向移動手段の移動情報から測定ヘッド傾斜角、測定ヘッド押込量を演算したり、逆に測定ヘッド傾斜角、測定ヘッド押込量の設定のために各移動手段の移動量を演算したりすることになる。
【００２６】
図７から図９において測定ヘッドの中央部の断面状態として紙と測定ヘッド面の接触状態を説明した。測定ヘッドの測定面方向から見た場合、測定ヘッド面の形状が先に説明したような円形の場合は、紙とヘッド面はヘッド面の最も上流側の１点から順次接するため、ヘッド面の川下側に行くにつれて、紙から離れる位置関係にある。実際にはフォイル効果によりほぼ全面に亘って紙とヘッド面が接触するが、厳密には測定ヘッドの面内で圧力分布が生じる。図１０は円形測定ヘッドの場合の圧力分布を示す図であり、Ｒ１は最も負圧の強い領域、Ｒ２は２番目に負圧の強い領域、Ｒ３は３番目に負圧の強い領域を示している。図１０からわかるように測定ヘッドの下流側や側面側に行くほど負圧の程度が小さくなるので、両側からエアーがヘッド面上に入ってくる傾向が強くなり、ヘッドの両側端側では接触不足になるおそれがある。そこで、このような傾向をより小さくする上で、紙と測定ヘッド面が最初に１点から接するのではなく、線で接するようにすれば紙の流れに対して直角方向でより一層圧力分布が均一になりより好ましい。図１１は正五角形測定ヘッドの場合の圧力分布を示す図である。図１１に示すように、正五角形測定ヘッドの場合、最も負圧の強い領域Ｒ１の範囲がヘッド幅全体に広がり、より均一な接触が得られやすくなる。これは紙の流れの上流側でヘッドと紙が接触することにより、ヘッドの幅全体に亘って負圧になるためであると考える。このように、測定ヘッド上流側の端辺が最初に紙に接する接触端辺を起点とし、誘電体共振器１〜５の範囲を含む区間にわたりシート状物が測定ヘッドに均一に接触することが好ましい。
【００２７】
さらに、発明者らは複数の誘電体共振器の個別の異方性感度の差を補正するために補正係数を求め、これを適用することで感度補正を行っている。そのためには測定ヘッド自体を回転させる必要がある。外形形状が円形の測定ヘッドの場合はそのまま回転させることが容易であるが、前述の通り外形形状が円形の測定ヘッドでは、シート状物を測定ヘッドに均一に接触させることが困難である。
【００２８】
ここで補正係数測定について簡単に説明する。補正係数測定とは、測定対象試料の配向を求めるオンライン配向測定方法における次のステップを備えた補正係数算出方法である。走行中の紙について補正係数を行う場合を例にとると、まず、試料の一面側のみに配置されたｎ個の誘電体共振器を備える測定ヘッド上に何も置かない状態で、各誘電体共振器の共振周波数を測定することによりブランク時共振周波数を求める。次に、走行中の測定対象試料表面に測定ヘッドを接触させた状態で、各誘電体共振器の共振周波数を測定する。次に測定ヘッドを一旦測定対象試料表面から離して回転させ、回転完了後に再び測定対象試料表面に測定ヘッドを接触させるか、もしくは、測定ヘッドを測定対象試料表面に接触した状態を維持したまま測定ヘッドを連続的または断続的に回転させて各誘電体共振器の共振周波数を測定する。これらの測定により得られた各誘電体共振器の全ての共振周波数と、ブランク時共振周波数との差から、各誘電体共振器の各回転角でのシフト量を求める。算出された各誘電体共振器の各回転角でのシフト量の平均値を測定領域毎に算出し、その平均値と各誘電体共振器のシフト量を演算し、領域毎に規格化した各誘電体共振器のシフト量を算出し、次にその各規格化した各誘電体共振器のシフト量を誘電体共振器毎に平均化して、各誘電体共振器の補正係数が算出される。
【００２９】
図１２は、図に示した矢印の紙の流れ方向に配向した紙を（ａ）に示した配置のマイクロ波誘電体共振器により測定した場合の配向パターンを（ｂ）に示したものである。図１２のように、５つのヘッドの各領域の定位置をそれぞれポジションＡ、ポジションＢ、ポジションＣ、ポジションＤ、ポジションＥと呼ぶ。補正係数測定で得られた、ポジションごとに算出された各誘電体共振器の各回転角でのシフト量に、算出された各誘電体共振器の補正係数を演算して補正後のシフト量とすると共に、各ポジションでの補正後のシフト量の平均値を算出し、ポジションごとに補正後のシフト量及びその平均値を表示すれば、測定の精度の目安をあらかじめ得ることが可能となる。例えば、５つの誘電体共振器を用いて図１２(b)に示したような配向パターンが得られる場合、５つのヘッドの定位置であるポジションＡからＥに対して、共振周波数のシフト量（Δｆ）は理論上、図１３に示したような形になる。図１３は測定ヘッドと紙面の接触状態が均一な場合に５つのポジションにおいて各誘電体共振器が示す共振周波数のシフト量の一例である。
【００３０】
一方、図１４は測定ヘッドと紙面の接触状態が不均一な場合に５つのポジションにおいて各誘電体共振器が示す共振周波数のシフト量の一例である。シート状物と測定ヘッドの接触が不均一になると、図１３のような理想的なパターンにはならず、配向角度および配向度が正しく算出されない場合があった。そこで図４の正五角形測定ヘッドを採用した場合、測定対象のシート状物の移動方向に対して直線状の接触端辺が垂直に圧接するような状態をそれぞれの水準で満たすように、３６０度を５で除した７２度毎にヘッドを回転させれば、均一接触を保ちながら補正係数を求めることができるので、図１３のような理想的なグラフ形状に帰着することが可能となる。
【実施例】
【００３１】
まず、図１の誘電体共振器を５個７２度ずつ配置した円形測定ヘッドに対し、図２に示した信号処理回路を組み合わせ、実際に走行している抄紙後の紙に測定ヘッドを接触させ、リアルタイムで紙の繊維配向を測定した。紙との接触手段としてはフォイル効果を用い、米坪６２．５ｇ/ｍ２の試料について、各誘電体共振器の共振周波数のシフト量を７２度ごと取得した後、ポジションごとに共振周波数のシフト量を並び替え表示した。図１５は円形ヘッドを用いた場合に５つのポジションにおいて各誘電体共振器が示す共振周波数のシフト量であり、傾斜角度０．７度、測定ヘッドの紙に対する押込量０．５ｍｍの条件により得られた共振周波数のシフト量の一例である。
【００３２】
次に、図５のように、図１の誘電体共振器を５個７２度ずつ配置した円形ヘッドの周囲に正五角形のリングを付加した場合において、図２に示した信号処理回路を組み合わせて同様にフォイル効果を用い測定を行った。図１６は円形ヘッドの周囲に正五角形のリングを付加した測定ヘッドを用いた場合に５つのポジションにおいて各誘電体共振器が示す共振周波数のシフト量であり、米坪６２．５ｇ/ｍ２の同一試料について傾斜角度０．６度、測定ヘッドの紙に対する押込量０．８ｍｍの条件により得られた共振周波数のシフト量の一例である。
【００３３】
続いて、上記測定対象である米坪６２．５ｇ/ｍ２試料を取得し、王子計測機器（株）製分子配向計（型式：ＭＯＡ−３００１Ａ）を用い、取得サンプルをオフラインで測定した結果、配向角度は約１５度、ＭＯＲ値は約１．１７程度であった。前述したように、図１２(b)に示したような配向パターンが得られる場合、共振周波数のシフト量は各ポジションに対して理論上は図１３に示したような形になる。これはすなわち、図３における配向角度が０度の状態での各ポジションに対する共振周波数のシフト量をシミュレーションした結果となる。これと同様に、配向角度１５度の場合のシミュレーション結果を図１７に示す。図１７は配向角度１５度の場合について、５つのポジションにおいて各誘電体共振器が示す共振周波数のシフト量をシミュレーションにより求めたグラフである。
【００３４】
図１３に示した配向角度０度の状態のシミュレーション結果は共振周波数のシフト量の数値がＰｏｓＡ＜ＰｏｓＣ＝ＰｏｓＤ＜ＰｏｓＢ＝ＰｏｓＥとなる。一方、図１７の結果は、図１３を基準とすると相対的にＰｏｓＡ、Ｃ、Ｅが上がり、ＰｏｓＢ，Ｄが下がる結果となる。これを踏まえ、図１５および図１６を見ると、図１５は測定ヘッド面の最も上流側の１点から順次試料に接触する影響から、川上側つまりＰｏｓＡの接触が相対的に他より強くなり、本来得られるべきグラフ形状からやや逸脱した結果となっている。一方、図１６を見ると、ＰｏｓＡの共振周波数のシフト量が他の４点に対して相対的に下がり、シミュレーション結果とより近いグラフ形状を示している。このことから、測定ヘッドの平面状接触面に面一になるように５角形リングを施した測定ヘッドでは、測定ヘッド面の上流から川下側の誘電体共振器にかけてほぼ均一に試料が接触していることが確認された。つまり、紙の繊維配向の実測においても、配向角度および配向度の測定精度が向上したことが確認されたということになる。
【産業上の利用可能性】
【００３５】
本発明によれば、シート状物の物性を測定する装置において接触型の検出部の検出面を測定対象であるシート状物と均一に安定して接触させることができ、電気抵抗等の接触型の物性の測定にも適用可能である。
【符号の説明】
【００３６】
１〜５  誘電体共振器
１０    測定ヘッド
１０ａ  測定ヘッド先端部
１０ｂ  測定ヘッド後端部
１１    正五角形リング
１２    測定ヘッド支持台
１３    載置台
１３ａ  載置台における紙の流れの下流側端部
１３ｂ  載置台における紙の流れの上流側端部
１４    一軸方向の移動手段
１５    設置基礎台
Ｉｎ    測定ヘッド傾斜角度制御手段
Ｐｏ    測定ヘッド押込量制御手段
Ｒ１  最も負圧の強い領域
Ｒ２  ２番目に負圧の強い領域
Ｒ３  ３番目に負圧の強い領域
Ｗ  紙の経路
矢印Ａ  紙の走行方向
矢印Ｂ  測定ヘッドの移動距離
矢印Ｃ  載置台の回動可能方向
角度α  紙の経路に対する測定ヘッドの傾斜角度
【先行技術文献】
【特許文献】
【００３７】
【特許文献１】特許第４１２４１４７号公報
【特許文献２】特開２００８−３０４４１５
【図１】
2011033597.tif 000003
【図２】
2011033597.tif 000004
【図３】
2011033597.tif 000005
【図４】
2011033597.tif 000006
【図５】
2011033597.tif 000007
【図６】
2011033597.tif 000008
【図７】
2011033597.tif 000009
【図８】
2011033597.tif 000010
【図９】
2011033597.tif 000011
【図１０】
2011033597.tif 000012
【図１１】
2011033597.tif 000013
【図１２】
2011033597.tif 000014
【図１３】
2011033597.tif 000015
【図１４】
2011033597.tif 000016
【図１５】
2011033597.tif 000017
【図１６】
2011033597.tif 000018
【図１７】
2011033597.tif 000019